(57)【要約】      （修正有）【課題】浮子やルアーにおいて、狙う水深を変える時に、仕掛けのラインを付けたままで浮力を自由に変化させることができる浮力体の提供。【解決手段】浮力を自由に変化させることができる釣り具の浮力体は、その浮力体自身の本体内部に浮き袋状の空洞部１をもち、それは細い管で外部と連絡している。本体の材質は、適度の弾性を持たせ、両体側を圧迫してスポイトの作用を利用し、空洞部１に水を出し入れすることにより、そこに残留する空気の量を調節して、自らの比重を変えることができ、狙う魚の泳層を変えるにあたり、他の浮力を持つものと交換する必要がなくなり、ラインに付けたままの状態で自らの浮力を調整することができる。本体内部の空洞部１は、細管で外部と連絡しているから、水圧の影響を受けるのは残留している空気の泡だけで、本体は水圧の影響を受けない。【選択図】図１
2018064548.tif 000002
【特許請求の範囲】
【請求項１】
釣り道具で使用する浮きやフロ―ティングタイプのルア―のような浮力体の本体内部に、細い管で外部と連絡する浮き袋状の空洞部を設け、本体の材質は適度の弾性を持たせて、両体側を指で挟み圧迫すればスポイトの作用のように空洞部に満たされている空気は外部と連絡する管を通って外部に排出され、圧迫を解けば空洞部は元の形状に戻りながら外気を吸入し、それが水中であれば、空気の代わりに水を吸排水する。そんな機能を持たせて自らの比重を自在に変えることが出来るようにした浮力体。
【請求項２】
スポイトの作用を利用して本体外部の水を吸排水する空洞部に、コイル状もしくは板状のバネを施し、適度の弾性を持たせた本体の吸排水作用を補助するようにした請求項１記載の浮力体。
【発明の詳細な説明】
【技術分野】
【０００１】  本発明は、水を吸排水する空洞部をその本体内部に備えた、釣り具として使用する浮子やルア―等の浮力体に関するものである。
【背景技術】
【０００２】  従来の、釣り具で使用する浮力体である浮子やルア―は、個々に狙う水深に合った浮力を持つように、比重があらかじめ決められ作られている。よって、狙う水深を変えるには使用しているものを、他の比重を持つものと交換しなければならなかった。
【発明の概要】
【発明が解決しようとする課題】
【０００３】  個々に比重があらかじめ決められて作られている浮きやルア―は、狙う水深を変えるには、他の比重を持つものと交換しなければならない。その交換作業が意外と面倒である。本発明の、浮力を自由に変化させることができる釣り具の浮力体は、それを仕掛けのラインに付けたままの状態で、水を本体に吸排水するだけで内部の空洞面積を変え、自らの比重を変えることができるため、その面倒を無くすことができる。
【課題を解決するための手段】
【０００４】  浮力体の内部構造に、スポイトのゴム袋部分の役割を果たす空洞部を設ける。その空洞部は、浮力体の最下部付近に設けた吸排水口を通して外部と連絡している。浮力体の両体側を指で圧迫すれば、空洞部に空気が満たされていれば空気を、水が満たされていれば水を吸排水口から排出する。そんな空洞部の空気の量を調節すれば、浮力体の比重は自由に変化させることができる。内部構造にある空洞部は、細管で外部と連絡しているから、水圧を受けるのは空洞部に残留している空気だけで、本体は水圧の影響を受けることはない。
【発明の効果】
【０００５】  釣り具の浮力体のひとつである、フロ―ティングタイプのルア―を使って水面を狙っていたが水温が下がり魚の泳層が表層より下がった為、ルア―を水面下に沈めたい。そんな時、本発明の構造を備えたルア―は、ルア―を仕掛けのラインに付けたままの状態で水面下に沈め、スポイトのゴム袋部分の役割を果たす両体側を、指で圧迫して空洞部の空気を排出し、そして指の圧迫を解けば、吸排水口から水をスポイトのように吸収する。その様にして空洞部の空気の量を調節すれば、ルア―は浮力を失い水面下に沈むようになり、ルア―をシンキングタイプのものと交換するわずらわしい作業がなくなる。また、釣り具で使われる浮力体には、えさ釣りなどで使用される浮子があるが、これについても風の影響を受けないようにしたいとか、または、潮の流れに乗せ浮子を水面直下に沈めたいと考えたときには、違う浮力を持った浮子と交換するか、ラインにオモリを追加して付けるかどちらかの作業をしなければならないが、本発明の構造を備えた浮子であれば、そのままの状態で本体空洞部の空気の量を減らすことによって、簡単に比重を変えることができ、任意の水面下に浮子を沈めることが可能になる。
【図面の簡単な説明】
【０００６】
【図１】本発明を、飛ばし浮きに応用した場合の、側面図である。
【図２】本発明を、ルア―に応用した場合の、側面図である。
【図３】本発明を、通常の浮子に応用した場合の、側面図である。
【図４】本体空洞部のポンプ作用の補助となるコイル状の圧縮バネである。
【図５】本体空洞部のポンプ作用の補助となる板状の圧縮バネである。
【発明を実施するための形態】
【０００７】  釣り具として使う浮力体には、浮子やフロ―ティングタイプのルア―などがあるが、それらはどれもが皆、あらかじめ比重が決められて作られているため、狙う魚の泳層を変えるためにはそれに適合する比重を持つものと交換するか、仕掛けに付いているウエイトを加減したりする作業をしなければならない。しかし、本発明の浮力体にはその内部構造に、スポイトの作用を応用して本体内部に水を取り込み、または排出することで任意の空気を空洞部に保持し自らの比重を変化させることができるため、使用している浮力体を仕掛けに付けたままの状態で、給排水口を水につけて両体側を指で圧迫することで本体内部に水を取り込みまたは、排出することができ、比重の違うものとの交換の作業が無くなる。また、ポンプ作用をするため適度の弾性を持たせた本体のその作用を補助するため、空洞部内部にその形状に合わせて、コイル状もしくは、板状の圧縮バネを必要に応じて施す。
【実施例】
【０００８】  以下、添付図面に従って実施例を説明する。［図１］は、とばし浮きに応用した場合の、側面図である。３は本体の長手方向に設けた連通孔で、道糸を通し、この道糸にヨリモドシを介して先端に毛針や本餌を付けたハリスを接続するものである。１は本体内部に設けられた空洞部で、ここに保持する空気の量を、２．の外部に連絡する細管を通して調節する。８は、１．の空動部がすべて空気に満たされている状態で、本体が水面に背中を出して直立する程度の浮力を維持するためのウエイトである。［図２］は、ルア―に応用した場合の、側面図である。５．は、道糸連結用のアイ。４．は、フックを付けるためのアイ。［図３］は、本発明を、通常の浮子に応用した場合の、側面図である。図３の３．外部に連絡する細管は、水もしくは空気の通り道を誇張するため、太めに作図してある。［図４］は、本体空洞部のポンプ作用の補助となるコイル状の圧縮バネ。［図５］は、同様に本体空洞部のポンプ作用の補助となる板状の圧縮バネである。
【符号の説明】
【０００９】    １    空洞部
２    吸排水口
３    外部に連絡する細管
４    連通孔
５    フック用アイ
６    道糸用アイ
７    ウエイト
８    コイル状の圧縮バネ
９    板状の圧縮バネ
【図１】
2018064548.tif 000003
【図２】
2018064548.tif 000004
【図３】
2018064548.tif 000005
【図４】
2018064548.tif 000006
【図５】
2018064548.tif 000007